(57)【要約】【課題】申請書情報と生体情報とを取り違えなく関連付けることができる個人認証用媒体発行システムおよび個人認証用媒体発行方法を提供する。【解決手段】人物の顔画像と個人情報を印刷面に印刷するとともに内蔵するメモリ媒体にも顔画像と個人情報を記録することで個人認証用媒体を発行する個人認証用媒体発行システムおいて、顔画像などの生体情報を登録する際に生体情報番号を生成し、この生体情報番号により申請書情報と生体情報とを関連付ける。【選択図】      図１
2006293914.tif 000002
【特許請求の範囲】
【請求項１】
申請者の生体情報を取得する生体情報取得手段と、
この生体情報取得手段により取得された生体情報に対し固有の識別情報を生成する識別情報生成手段と、
この識別情報生成手段により生成された識別情報が付与され、かつ、前記申請者の個人情報等が記載された申請書からその記載された情報および前記識別情報を読取る申請書読取手段と、
この申請書読取手段により読取られた識別情報により前記生体情報取得手段により取得された生体情報と前記申請書読取手段により読取られた申請書情報とを関連付けて登録する登録手段と、
少なくとも前記登録手段により登録された申請書情報内の個人情報および生体情報をメモリ媒体および印刷面を備えた個人認証用媒体の前記印刷面に印刷する印刷手段と、
少なくとも前記登録手段により登録された申請書情報内の個人情報および生体情報を前記個人認証用媒体が備えたメモリ媒体に対し記録する記録手段と、
を具備したことを特徴とする個人認証用媒体発行システム。
【請求項２】
申請者の生体情報を取得する第１の生体情報取得手段と、
この第１の生体情報取得手段により取得された生体情報に対し固有の識別情報を生成する識別情報生成手段と、
この識別情報生成手段により生成された識別情報が付与され、かつ、前記申請者の個人情報等が記載された申請書からその記載された情報および前記識別情報を読取る申請書読取手段と、
この申請書読取手段により読取られた識別情報により前記第１の生体情報取得手段により取得された生体情報と前記申請書読取手段により読取られた申請書情報とを関連付けて登録する登録手段と、
少なくとも前記登録手段により登録された申請書情報内の個人情報および生体情報をメモリ媒体および印刷面を備えた個人認証用媒体の前記印刷面に印刷する印刷手段と、
少なくとも前記登録手段により登録された申請書情報内の個人情報および生体情報を前記個人認証用媒体が備えたメモリ媒体に対し記録する記録手段と、
前記印刷手段により個人情報および生体情報が印刷され、かつ、前記記録手段により個人情報および生体情報が記録された個人認証用媒体を申請者に対し交付する際、当該個人認証用媒体のメモリ媒体から生体情報を読取る読取手段と、
前記印刷手段により個人情報および生体情報が印刷され、かつ、前記記録手段により個人情報および生体情報が記録された個人認証用媒体を申請者に対し交付する際、当該申請者の生体情報を取得する第２の生体情報取得手段と、
前記読取手段により前記個人認証用媒体のメモリ媒体から読取られた生体情報と前記第２の生体情報取得手段により取得された生体情報とを照合し、両生体情報の間に所定の関係が成立するか否かを判定する照合手段と、
この照合手段による判定結果を出力する出力手段と、
を具備したことを特徴とする個人認証用媒体発行システム。
【請求項３】
認証用媒体を発行する発行端末装置と、この発行端末装置と通信手段を介して接続されたホスト装置とから構成され、
前記発行端末装置は、
申請者の生体情報を取得する生体情報取得手段と、
この生体情報取得手段により取得された生体情報に対し固有の識別情報を生成する識別情報生成手段と、
この識別情報生成手段により生成された識別情報が付与され、かつ、前記申請者の個人情報等が記載された申請書からその記載された情報および前記識別情報を読取る申請書読取手段と、
この申請書読取手段により読取られた識別情報により前記生体情報取得手段により取得された生体情報と前記申請書読取手段により読取られた申請書情報とを関連付けて登録する登録手段と、
この登録手段により登録された申請書情報および生体情報に基づき認証用媒体発行審査請求情報を作成する認証用媒体発行審査請求情報作成手段と、
この認証用媒体発行審査請求情報作成手段により作成された認証用媒体発行審査請求情報を前記ホスト装置へ送信する第１の送信手段とを具備し、
前記ホスト装置は、
前記発行端末装置の第１の送信手段により送信された認証用媒体発行審査請求情報を受信する第１の受信手段と、
この第１の受信手段により受信された認証用媒体発行審査請求情報に基づき認証用媒体発行の可否を審査する認証用媒体発行審査手段と、
この認証用媒体発行審査手段の審査結果が認証用媒体発行許可の場合、前記第１の受信手段により受信された認証用媒体発行審査請求情報に基づき電子署名を作成する電子署名作成手段と、
前記認証用媒体発行審査手段の審査結果および前記電子署名作成手段により作成された電子署名を前記発行端末装置へ送信する第２の送信手段とを具備し、
前記発行端末装置は、さらに、
前記ホスト装置の第２の送信手段により送信された審査結果および電子署名を受信する第２の受信手段と、
この第２の受信手段により受信された審査結果が認証用媒体発行許可の場合、少なくとも前記登録手段により登録された申請書情報内の個人情報および生体情報をメモリ媒体および印刷面を備えた個人認証用媒体の前記印刷面に印刷する印刷手段と、
前記第２の受信手段により受信された審査結果が認証用媒体発行許可の場合、少なくとも前記登録手段により登録された申請書情報内の個人情報および生体情報を前記個人認証用媒体が備えたメモリ媒体に対し記録する記録手段とを具備したことを特徴とする個人認証用媒体発行システム。
【請求項４】
認証用媒体を発行する発行端末装置と、この発行端末装置と通信手段を介して接続されたホスト装置とから構成され、
前記発行端末装置は、
申請者の生体情報を取得する第１の生体情報取得手段と、
この第１の生体情報取得手段により取得された生体情報に対し固有の識別情報を生成する識別情報生成手段と、
この識別情報生成手段により生成された識別情報が付与され、かつ、前記申請者の個人情報等が記載された申請書からその記載された情報および前記識別情報を読取る申請書読取手段と、
この申請書読取手段により読取られた識別情報により前記第１の生体情報取得手段により取得された生体情報と前記申請書読取手段により読取られた申請書情報とを関連付けて登録する登録手段と、
この登録手段により登録された申請書情報および生体情報に基づき認証用媒体発行審査請求情報を作成する認証用媒体発行審査請求情報作成手段と、
この認証用媒体発行審査請求情報作成手段により作成された認証用媒体発行審査請求情報を前記ホスト装置へ送信する第１の送信手段とを具備し、
前記ホスト装置は、
前記発行端末装置の第１の送信手段により送信された認証用媒体発行審査請求情報を受信する第１の受信手段と、
この第１の受信手段により受信された認証用媒体発行審査請求情報に基づき認証用媒体発行の可否を審査する認証用媒体発行審査手段と、
この認証用媒体発行審査手段の審査結果が認証用媒体発行許可の場合、前記第１の受信手段により受信された認証用媒体発行審査請求情報に基づき電子署名を作成する電子署名作成手段と、
前記認証用媒体発行審査手段の審査結果および前記電子署名作成手段により作成された電子署名を前記発行端末装置へ送信する第２の送信手段とを具備し、
前記発行端末装置は、さらに、
前記ホスト装置の第２の送信手段により送信された審査結果および電子署名を受信する第２の受信手段と、
この第２の受信手段により受信された審査結果が認証用媒体発行許可の場合、少なくとも前記登録手段により登録された申請書情報内の個人情報および生体情報をメモリ媒体および印刷面を備えた個人認証用媒体の前記印刷面に印刷する印刷手段と、
前記第２の受信手段により受信された審査結果が認証用媒体発行許可の場合、少なくとも前記登録手段により登録された申請書情報内の個人情報および生体情報を前記個人認証用媒体が備えたメモリ媒体に対し記録する記録手段と、
前記印刷手段により個人情報および生体情報が印刷され、かつ、前記記録手段により個人情報および生体情報が記録された個人認証用媒体を申請者に対し交付する際、当該個人認証用媒体のメモリ媒体から生体情報を読取るメモリ媒体読取手段と、
前記印刷手段により個人情報および生体情報が印刷され、かつ、前記記録手段により個人情報および生体情報が記録された個人認証用媒体を申請者に対し交付する際、当該申請者の生体情報を取得する第２の生体情報取得手段と、
前記メモリ媒体読取手段により前記個人認証用媒体のメモリ媒体から読取られた生体情報と前記第２の生体情報取得手段により取得された生体情報とを照合し、両生体情報の間に所定の関係が成立するか否かを判定する照合手段と、
この照合手段による判定結果を出力する出力手段とを具備したことを特徴とする個人認証用媒体発行システム。
【請求項５】
前記識別情報生成手段により生成された識別情報の前記申請書に対する付与は、前記識別情報生成手段により生成された識別情報を印刷した印刷物を前記申請書に貼付することにより付与されていることを特徴とする請求項１ないし請求項４のうちいずれかに記載の個人認証用媒体発行システム。
【請求項６】
申請者の生体情報を取得する生体情報取得ステップと、
この生体情報取得ステップにより取得された生体情報に対し固有の識別情報を生成する識別情報生成ステップと、
この識別情報生成ステップにより生成された識別情報が付与され、かつ、前記申請者の個人情報等が記載された申請書からその記載された情報および前記識別情報を読取る申請書読取ステップと、
この申請書読取ステップにより読取られた識別情報により前記生体情報取得ステップにより取得された生体情報と前記申請書読取ステップにより読取られた申請書情報とを関連付けて登録する登録ステップと、
少なくとも前記登録ステップにより登録された申請書情報内の個人情報および生体情報をメモリ媒体および印刷面を備えた個人認証用媒体の前記印刷面に印刷する印刷ステップと、
少なくとも前記登録ステップにより登録された申請書情報内の個人情報および生体情報を前記個人認証用媒体が備えたメモリ媒体に対し記録する記録ステップと、
を具備したことを特徴とする個人認証用媒体発行方法。
【請求項７】
申請者の生体情報を取得する第１の生体情報取得ステップと、
この第１の生体情報取得ステップにより取得された生体情報に対し固有の識別情報を生成する識別情報生成ステップと、
この識別情報生成ステップにより生成された識別情報が付与され、かつ、前記申請者の個人情報等が記載された申請書からその記載された情報および前記識別情報を読取る申請書読取ステップと、
この申請書読取ステップにより読取られた識別情報により前記第１の生体情報取得ステップにより取得された生体情報と前記申請書読取ステップにより読取られた申請書情報とを関連付けて登録する登録ステップと、
少なくとも前記登録ステップにより登録された申請書情報内の個人情報および生体情報をメモリ媒体および印刷面を備えた個人認証用媒体の前記印刷面に印刷する印刷ステップと、
少なくとも前記登録ステップにより登録された申請書情報内の個人情報および生体情報を前記個人認証用媒体が備えたメモリ媒体に対し記録する記録ステップと、
前記印刷ステップにより個人情報および生体情報が印刷され、かつ、前記記録ステップにより個人情報および生体情報が記録された個人認証用媒体を申請者に対し交付する際、当該個人認証用媒体のメモリ媒体から生体情報を読取るメモリ媒体読取ステップと、
前記印刷ステップにより個人情報および生体情報が印刷され、かつ、前記記録ステップにより個人情報および生体情報が記録された個人認証用媒体を申請者に対し交付する際、当該申請者の生体情報を取得する第２の生体情報取得ステップと、
前記メモリ媒体読取ステップにより前記個人認証用媒体のメモリ媒体から読取られた生体情報と前記第２の生体情報取得ステップにより取得された生体情報とを照合し、両生体情報の間に所定の関係が成立するか否かを判定する照合ステップと、
この照合ステップによる判定結果を出力する出力ステップと、
を具備したことを特徴とする個人認証用媒体発行方法。
【請求項８】
前記識別情報生成ステップにより生成された識別情報の前記申請書に対する付与は、前記識別情報生成ステップにより生成された識別情報を印刷した印刷物を前記申請書に貼付することにより付与されていることを特徴とする請求項６または請求項７記載の個人認証用媒体発行方法。
【発明の詳細な説明】
【技術分野】
【０００１】
本発明は、たとえば、自動車の運転免許証や各種証明書（カードタイプや冊子タイプを含む）など、人物の顔画像と個人情報を個人認証用媒体の印刷面に印刷することにより個人認証用媒体を発行する個人認証用媒体発行システムおよび個人認証用媒体発行方法に係り、特に、個人認証用媒体としてＩＣチップ（メモリ媒体）を内蔵したＩＣカードを用い、そのＩＣチップにも顔画像と個人情報を記録して個人認証用媒体を発行する個人認証用媒体発行システムおよび個人認証用媒体発行方法に関する。
【背景技術】
【０００２】
たとえば、この種の個人認証用媒体として各種免許証や各種証明書として用いられるＩＣチップ付のＩＤカードが知られている。このようなＩＣチップ付のＩＤカードを発行する個人認証用媒体発行システムにあっては、まず、ＩＤカードの発行を希望する申請者がＩＤカードの発行を申込みするべく、申請書に個人情報等その他の必要情報を記入し、発行元（発行サイト）に申請する。
【０００３】
発行元では、申請書の情報に基づきカード発行可否の審査を行ない、合格者に対し、申請書の情報を基に申請者の個人情報を発行サーバに登録するとともに、申請者の顔画像を取得して発行サーバに登録し、発行端末装置にて、登録された顔画像や個人情報に基づきカード表面（印刷面）への顔画像や個人情報の印刷、および、カード内のＩＣチップへの顔画像や個人情報の記録を行なうことで、ＩＤカードの発行を行ない、発行したＩＤカードを申請者に対し引き渡すようになっている。  
【特許文献１】特開２００３−９４７０１号公報
【特許文献２】特開２００３−５８８３２号公報
【特許文献３】特開２００４−３１８４０９号公報
【発明の開示】
【発明が解決しようとする課題】
【０００４】
申請書から取得した申請書情報と申請者から取得した生体情報とは同一人物の情報でなければならないが、システムの不備など、何らかの事情で申請書情報と生体情報との関連付けを取り違えると、他人の生体情報をＩＣチップに記録してしまう等のケースが想定される。
【０００５】
このような個人認証用媒体が発行されると、メモリ媒体に記録された生体情報を使用して自動化（機械化）審査する端末装置などでは、本人確認できないという問題が発生する可能性がある。その場合、個人認証用媒体が偽変造である、あるいは、別人が成りすましている等の嫌疑をかけられ、所持者が大変な不利益を被ることが想定される。
【０００６】
そこで、本発明は、申請書情報と生体情報とを取り違えなく関連付けることができる個人認証用媒体発行システムおよび個人認証用媒体発行方法を提供することを目的とする。
【課題を解決するための手段】
【０００７】
本発明の個人認証用媒体発行システムは、申請者の生体情報を取得する生体情報取得手段と、この生体情報取得手段により取得された生体情報に対し固有の識別情報を生成する識別情報生成手段と、この識別情報生成手段により生成された識別情報が付与され、かつ、前記申請者の個人情報等が記載された申請書からその記載された情報および前記識別情報を読取る申請書読取手段と、この申請書読取手段により読取られた識別情報により前記生体情報取得手段により取得された生体情報と前記申請書読取手段により読取られた申請書情報とを関連付けて登録する登録手段と、少なくとも前記登録手段により登録された申請書情報内の個人情報および生体情報をメモリ媒体および印刷面を備えた個人認証用媒体の前記印刷面に印刷する印刷手段と、少なくとも前記登録手段により登録された申請書情報内の個人情報および生体情報を前記個人認証用媒体が備えたメモリ媒体に対し記録する記録手段とを具備している。
【０００８】
また、本発明の個人認証用媒体発行システムは、認証用媒体を発行する発行端末装置と、この発行端末装置と通信手段を介して接続されたホスト装置とから構成され、前記発行端末装置は、申請者の生体情報を取得する生体情報取得手段と、この生体情報取得手段により取得された生体情報に対し固有の識別情報を生成する識別情報生成手段と、この識別情報生成手段により生成された識別情報が付与され、かつ、前記申請者の個人情報等が記載された申請書からその記載された情報および前記識別情報を読取る申請書読取手段と、この申請書読取手段により読取られた識別情報により前記生体情報取得手段により取得された生体情報と前記申請書読取手段により読取られた申請書情報とを関連付けて登録する登録手段と、この登録手段により登録された申請書情報および生体情報に基づき認証用媒体発行審査請求情報を作成する認証用媒体発行審査請求情報作成手段と、この認証用媒体発行審査請求情報作成手段により作成された認証用媒体発行審査請求情報を前記ホスト装置へ送信する第１の送信手段とを具備し、前記ホスト装置は、前記発行端末装置の第１の送信手段により送信された認証用媒体発行審査請求情報を受信する第１の受信手段と、この第１の受信手段により受信された認証用媒体発行審査請求情報に基づき認証用媒体発行の可否を審査する認証用媒体発行審査手段と、この認証用媒体発行審査手段の審査結果が認証用媒体発行許可の場合、前記第１の受信手段により受信された認証用媒体発行審査請求情報に基づき電子署名を作成する電子署名作成手段と、前記認証用媒体発行審査手段の審査結果および前記電子署名作成手段により作成された電子署名を前記発行端末装置へ送信する第２の送信手段とを具備し、前記発行端末装置は、さらに、前記ホスト装置の第２の送信手段により送信された審査結果および電子署名を受信する第２の受信手段と、この第２の受信手段により受信された審査結果が認証用媒体発行許可の場合、少なくとも前記登録手段により登録された申請書情報内の個人情報および生体情報をメモリ媒体および印刷面を備えた個人認証用媒体の前記印刷面に印刷する印刷手段と、前記第２の受信手段により受信された審査結果が認証用媒体発行許可の場合、少なくとも前記登録手段により登録された申請書情報内の個人情報および生体情報を前記個人認証用媒体が備えたメモリ媒体に対し記録する記録手段とを具備している。
【０００９】
さらに、本発明の個人認証用媒体発行方法は、申請者の生体情報を取得する生体情報取得ステップと、この生体情報取得ステップにより取得された生体情報に対し固有の識別情報を生成する識別情報生成ステップと、この識別情報生成ステップにより生成された識別情報が付与され、かつ、前記申請者の個人情報等が記載された申請書からその記載された情報および前記識別情報を読取る申請書読取ステップと、この申請書読取ステップにより読取られた識別情報により前記生体情報取得ステップにより取得された生体情報と前記申請書読取ステップにより読取られた申請書情報とを関連付けて登録する登録ステップと、少なくとも前記登録ステップにより登録された申請書情報内の個人情報および生体情報をメモリ媒体および印刷面を備えた個人認証用媒体の前記印刷面に印刷する印刷ステップと、少なくとも前記登録ステップにより登録された申請書情報内の個人情報および生体情報を前記個人認証用媒体が備えたメモリ媒体に対し記録する記録ステップとを具備している。
【発明の効果】
【００１０】
本発明によれば、申請書情報と生体情報とを取り違えなく関連付けることができる個人認証用媒体発行システムおよび個人認証用媒体発行方法を提供できる。
【発明を実施するための最良の形態】
【００１１】
以下、本発明の実施の形態について図面を参照して説明する。  
なお、以下の説明では、人物の生体情報として顔画像を用いた場合を例として述べるが、顔画像以外に、指紋画像、虹彩情報、掌形画像、指画像、静脈画像、音声情報などの他の生体情報を用いても同様に実施できる。
【００１２】
図１は、本実施の形態に係る個人認証用媒体発行システムの構成を概略的に示すものである。この個人認証用媒体発行システムは、たとえば、ＩＣチップ付のＩＤカードを発行するものでセンタに設置されたホスト装置（たとえば、ホストコンピュータ）１１、発行サイトに設置され、ホスト装置１１とネットワーク１２を介して接続された発行サーバ１３、発行サイトに設置され、発行サーバ１３に接続された複数の発行端末装置、たとえば、申請書情報入力端末装置１４、生体情報入力端末装置１５、作成端末装置１６、記録端末装置１７、および、交付端末装置１８を有して構成されている。
【００１３】
ホスト装置１１は、ＩＤカードの申請情報や発行情報の管理を行なうとともに、カード発行可否の審査や電子署名の作成処理を行なう。なお、電子署名の作成機能をセンタ内の別のホストコンピュータにて行なう場合もある。
【００１４】
発行サーバ１３は、下位に属する申請書情報入力端末装置１４、生体情報入力端末装置１５、作成端末装置１６、記録端末装置１７、交付端末装置１８で処理された情報の一時保管や、ホスト装置１１で処理された審査済情報などの一時保管を行なう。
【００１５】
申請書情報入力端末装置１４は、主に申請書の画像を読取ることで、申請書情報（個人情報など）の入力や申請書上に貼付された顔写真からの顔画像の入力（取得）などを行なうもので、申請書読取用の申請書スキャナ１９を備えている。
【００１６】
生体情報入力端末装置１５は、主に申請者の顔画像の直接入力（取得）、および、生体情報番号を発番してシールに印刷する処理などを行なうもので、申請者の顔画像を撮影するための電子カメラ２０、および、発番した生体情報番号をシールに印刷するシール印刷機２１を備えている。  
作成端末装置１６は、主に個人認証用媒体の券面印刷などを行なうもので、印刷機２２を備えている。  
記録端末装置１７は、個人認証用媒体のメモリ媒体に対するデータの読取りや記録を行なうもので、ＩＣリーダライタ２３を備えている。
【００１７】
交付端末装置１８は、発行された個人認証用媒体の交付処理を行なうもので、個人認証用媒体のメモリ媒体に対するデータの読取りや記録を行なうＩＣリーダライタ２４、および、申請者の顔画像を撮影するための電子カメラ２５を備えている。
【００１８】
図２は、申請書Ａの一例を示している。申請書Ａには、氏名や生年月日などの人定事項（個人情報など）３１が記載されているとともに、申請者の顔写真３２が貼付されている。また、申請書Ａには、後述するように、発番した生体情報番号を印刷したシール３２が貼付される。
【００１９】
なお、図２の例では、必要事項３1を記述し、かつ、申請者の顔写真３２を貼付したイメージの申請書Ａを用いたが、実際には顔写真３２の有無は問わないし、電子的手段により申請することにより申請書Ａが存在しない場合もある。本実施の形態では、あくまで申請書Ａにより申請された後に操作者の手によって電子データ化される場合の例である。
【００２０】
図３は、発行されたＩＣチップ付きＩＤカードＢの一例を示している。ＩＤカードＢは、接触式のＩＣカードで、その表面には、氏名や生年月日などの人定事項（個人情報）４１および顔画像４２が印刷されているとともに、外部装置（ＩＣリーダライタ等）と通信を行なうためのコンタクト部４３が設けられている。  
なお、ＩＤカードＢとして用いるＩＣカードは、接触式のＩＣカードに限らず、外部装置（ＩＣリーダライタ等）との間で無線で通信を行なう非接触式のＩＣカードであってもよい。
【００２１】
次に、上記のような構成において図４ないし図６に示すフローチャートを参照して動作を説明する。  
まず、ＩＤカードの発行を申請する申請者は発行サイトにて申請書Ａを提出する（ステップＳ１）。発行サイトでは、審査者が提出された申請書Ａの記載内容の確認など、申請書受付処理を行なう（ステップＳ２）。
【００２２】
その後、審査者は、生体情報入力端末装置１５において、カメラ２０で申請者の顔画像を直接撮影する（ステップＳ３）。ここに、このステップＳ３の処理が本発明における生体情報取得手段に対応している。
【００２３】
次に、生体情報入力端末装置１５は、申請者から取得した顔画像に対し固有の生体情報番号（識別情報）を初番し、この発番した生体情報番号を対象の顔画像とともに発行サーバ１３に送信する（ステップＳ４）。ここに、このステップＳ４の処理が本発明における識別情報生成手段に対応している。発行サーバ１３は、生体情報入力端末装置１５から送信された生体情報番号と顔画像とを対応させて登録する（ステップＳ５）。  
次に、生体情報入力端末装置１５は、発番した生体情報番号をシール印刷機２１で印刷したシール３３を発行する（ステップＳ６）。なお、シール３３上に印刷する生体情報番号は、複数桁の数字でもバーコードでもよく、適宜選択可能である。
【００２４】
審査者は、発行されたシール３３を申請書Ａに貼付し（ステップＳ７）、このシール３３を貼付した申請書Ａを申請書情報入力端末装置１４の申請書スキャナ１９にセットすることにより申請書Ａの内容（人定事項３１、顔写真３２、シール３３など）を読取り、電算処理（顔写真の電子データ化、文字情報のテキストデータ化など）を行なう（ステップＳ８）。ここに、このステップＳ８の処理が本発明における申請書読取手段に対応している。
【００２５】
次に、申請書情報入力端末装置１４は、申請書Ａから読取ったシール３３の生体情報番号および申請書情報（個人情報等）を発行サーバ１３へ送信する（ステップＳ９）。発行サーバ１３は、申請書情報入力端末装置１４から送信された生体情報番号により、当該生体情報番号と対応する生体情報番号とともに既に登録されている顔画像に関連付けて、生体情報入力端末装置１５から当該生体情報番号とともに送信された申請書情報を登録する（ステップＳ１０）。ここに、このステップＳ１０の処理が本発明における登録手段に対応している。  
このように、申請書Ａにシール３３で貼付した生体情報番号を同時に読取処理することによって、生体情報番号により申請書情報と顔画像とを関連付けて登録するものである。
【００２６】
次に、申請書情報入力端末装置１４は、申請書Ａから読取った申請書情報（電子データ化された顔写真、個人情報等）に基づき発行審査請求情報（認証用媒体発行審査請求情報）を作成する（ステップＳ１１）。ここに、このステップＳ１１の処理が本発明における認証用媒体発行審査請求情報作成手段に対応している。
【００２７】
次に、申請書情報入力端末装置１４は、作成した発行審査請求情報を発行サーバ１３を介してホスト装置１１へ送信する（ステップＳ１２）。ここに、このステップＳ１２の処理が本発明における第１の送信手段に対応している。
【００２８】
ホスト装置１１は、申請書情報入力端末装置１４から送信された発行審査請求情報を受信する（ステップＳ１３）。ここに、このステップＳ１３の処理が本発明における第１の受信手段に対応している。次に、ホスト装置１１は、受信した発行審査請求情報に基づき当該ＩＤカードの発行可否を審査する（ステップＳ１４，Ｓ１５）。ここに、このステップＳ１４，Ｓ１５の処理が本発明における認証用媒体発行審査手段に対応している。
【００２９】
ステップＳ１４，Ｓ１５における審査の結果、当該ＩＤカードの発行が許可（ＯＫ）の場合、ホスト装置１１は、たとえば、図示しない認証局に対し公開鍵証明書の発行を要求し、受取った公開鍵証明書およびステップＳ１３で受信した発行審査請求情報に基づき電子署名を作成する（ステップＳ１６）。ここに、このステップＳ１６の処理が本発明における電子署名作成手段に対応している。
【００３０】
次に、ホスト装置１１は、ステップＳ１４，Ｓ１５における審査結果および作成した電子署名を発行サーバ１３へ送信する（ステップＳ１７）。ここに、このステップＳ１７の処理が本発明における第２の送信手段に対応している。なお、ステップＳ１４，Ｓ１５における審査の結果、当該ＩＤカードの発行が不許可（ＮＯ）の場合、ステップＳ１６の処理（電子署名の作成処理）を行なわずにステップＳ１７に進む。  
発行サーバ１３は、ホスト装置１１から送信された審査結果および電子署名を受信する（ステップＳ１８）ここに、このステップＳ１８の処理が本発明における第２の受信手段に対応している。
【００３１】
発行サーバ１３がホスト装置１１から送信された審査結果および電子署名を受信すると、当該審査結果がＩＤカード発行許可（ＯＫ）の場合、作成端末装置１６は、印刷機２２により、既に電子データ化されている顔画像および個人情報に基づきＩＤカードＢの印刷面に対し券面印刷を行なう（ステップＳ１９）。ここに、このステップＳ１９の処理が本発明における印刷手段に対応している。  
なお、ホスト装置１１から送信された審査結果がＩＤカード発行不許可（ＮＯ）の場合、たとえば、作成端末装置１６のディスプレイにＩＤカード発行不許可の旨を表示し（ステップＳ２０）、発行処理を終了する。
【００３２】
次に、作成端末装置１６で印刷を行なったＩＤカードＢを記録端末装置１７のＩＣリーダライタ２３にセットすることで、印刷面に印刷した情報と同一の情報（顔画像や個人情報など）を電子データとしてＩＣチップ４３に記録する（ステップＳ２１）。このとき、ＩＣチップ４３からいま記録した内容を読出して、ベリファイチェックすることで、正しく記録できたことを確認する。ここに、このステップＳ２１の処理が本発明における記録手段に対応している。
【００３３】
次に、交付端末装置１８において、上記のようにして発行されたＩＤカードＢをＩＣリーダライタ２４にセットすることで、ＩＣチップ４３から顔画像を読取る（ステップＳ２２）。ここに、このステップＳ２２の処理が本発明におけるメモリ媒体読取手段に対応している。次に、カメラ２５で申請者の顔画像を直接撮影する（ステップＳ２３）。ここに、このステップＳ２３の処理が本発明における第２の生体情報取得手段に対応している。
【００３４】
次に、ＩＣチップ４３から読取った顔画像とカメラ２５で直接撮影した顔画像とを照合し、両顔画像の間に所定の関係が成立するか否か、この例では両顔画像が一致するか否かを判定する（ステップＳ２４，Ｓ２５）。ここに、このステップＳ２４，Ｓ２５の処理が本発明における照合手段に対応している。
【００３５】
ステップＳ２４，Ｓ２５における判定の結果、両顔画像が一致した場合、交付端末装置１８のディスプレイに照合ＯＫを画面表示する（ステップＳ２６）。この場合、発行されたＩＤカードＢは申請者に対し交付される（ステップＳ２７）。  
ステップＳ２４，Ｓ２５における判定の結果、両顔画像が一致しなかった場合、交付端末装置１８のディスプレイに照合エラーを画面表示する（ステップＳ２８）。この場合、たとえば、適切な生体情報を取得して記録できていない可能性が高いので、顔画像の取得や券面印刷、ＩＣチップ４３への記録などの一連の処理を再度実行して対処する。ここに、上記ステップＳ２６，Ｓ２８の処理が本発明における出力手段に対応している。
【００３６】
このように、顔画像および個人情報を表面に印刷するとともに内蔵されたＩＣチップにも顔画像および個人情報を記録することでＩＤカードを発行する個人認証用媒体発行システムおいて、顔画像を登録する際に生体情報番号を発番してシールに印刷し、そのシールを申請書上に貼り付けることによって、申請書と当該申請を行なった申請者の顔画像を取り違えなく関連付けることが可能となる。
【００３７】
なお、前記実施の形態では、発番した生体情報番号をシールに印刷し、そのシールを申請書上に貼り付ける場合について説明したが、本発明はこれに限定されるものではなく、たとえば、発番した生体情報番号をシールに印刷することなく、当該申請書上の特定位置に自動的に印刷するようにしてもよい。
【図面の簡単な説明】
【００３８】
【図１】本発明の実施の形態に係る個人認証用媒体発行システムの構成を概略的に示すブロック図。
【図２】申請書の一例を示す平面図。
【図３】ＩＤカードの一例を示す平面図。
【図４】動作を説明するフローチャート。
【図５】動作を説明するフローチャート。
【図６】動作を説明するフローチャート。
【符号の説明】
【００３９】
１１…ホスト装置、１２…ネットワーク、１３…発行サーバ、１４…申請書情報入力端末装置、１５…生体情報入力端末生装置、１６…作成端末装置、１７…記録端末装置、１８…交付端末装置、１９…スキャナ、２０，２５…カメラ、２１…シール印刷機、２２…印刷機、２３，２４…ＩＣリーダライタ、Ａ…申請書、３１…人定事項、３２…顔写真、３３…シール、ＢＩＤカード（個人認証用媒体）、４１…人定事項、４２…顔画像、４３…ＩＣチップ（メモリ媒体）。
【図１】
2006293914.tif 000003
【図２】
2006293914.tif 000004
【図３】
2006293914.tif 000005
【図４】
2006293914.tif 000006
【図５】
2006293914.tif 000007
【図６】
2006293914.tif 000008